(57)【特許請求の範囲】
【請求項１】
コンテンツ情報を情報表示部に表示するコンテンツ表示装置において、
各々が識別できる接触または加圧を検出する複数の操作部を有する操作領域部と、
一つのコンテンツ情報を複数に分割した分割情報各々の配置と、前記操作部の配置とが対応するように、前記分割情報各々を前記操作部に割り当てる分割情報割当処理部と、
前記分割情報割当処理部により前記分割情報が割り当てられた前記操作部と、前記分割情報が割り当てられていない前記操作部とを識別させる識別表現を行う識別制御処理部と、
前記操作部が接触または加圧を検出したときは、該操作部に割り当てられた前記分割情報を前記情報表示部に表示する分割情報表示処理部と
を具備し、
前記操作部各々は、前記接触または加圧を検出する領域が予め決まっており、
前記分割情報の画素数は、前記情報表示部に表示される画像の画素数であり、
前記識別制御処理部は、前記分割情報の縦方向の分割数が前記操作部の縦方向の配置数を超えるとき、または、前記分割情報の横方向の分割数が前記操作部の横方向の配置数を超えるときは、超える方向の前記操作領域部の端にある前記操作部を、その他の操作部と識別させる識別表現を行い、超える方向を識別可能とすること
を特徴とするコンテンツ表示装置。
【請求項２】
前記識別制御処理部は、前記分割情報が割り当てられた前記操作部の識別表現を前記コンテンツ情報のコンテンツ種別に応じた形式とすることを特徴とする請求項１に記載のコンテンツ表示装置。
【請求項３】
前記識別制御処理部は、前記分割情報が割り当てられた前記操作部各々の識別表現を、該操作部に割当てられた分割情報に含まれるコンテンツ種別に応じた形式とすることを特徴とする請求項１に記載のコンテンツ表示装置。
【請求項４】
前記識別制御処理部は、前記操作部のうち、前記情報表示部に表示している分割情報に割り当てられた操作部を、その他の操作部と識別させる識別表現を行うことを特徴とする請求項１または請求項２に記載のコンテンツ表示装置。
【請求項５】
前記分割情報表示処理部は、いずれかの方向の前記分割数が前記配置数を超えているときは、この超えている方向の前記操作領域の端にある前記操作部の接触または加圧を検出し、さらに前記情報表示部において表示中の分割情報が該操作部に割り当てられた分割情報のときは、前記情報表示部に現在表示中の分割情報に隣接する分割情報を、前記情報表示部に表示することを特徴とする請求項１に記載のコンテンツ表示装置。
【請求項６】
前記分割情報割当処理部は、いずれかの方向の前記分割数が前記配置数を超えているときは、この超えている方向の前記操作領域の端にある前記操作部の接触または加圧を検出し、さらに前記情報表示部において表示中の分割情報が該操作部に割り当てられた分割情報のときは、該分割情報に前記分割数が配置数を超えている方向に隣接する分割情報を含む前記配置数分の分割情報を、前記操作部各々に割り当てることを特徴とする請求項１に記載のコンテンツ表示装置。
【請求項７】
前記分割情報割当処理部は、前記操作領域部のうち、所定の割り当てが設定された操作部を基準として、前記分割情報各々に別の前記操作部を割り当てることを特徴とする請求項１から請求項６のいずれかの項に記載のコンテンツ表示装置。
【請求項８】
前記分割情報表示処理部は、前記情報表示部に初期表示する分割情報を、前記コンテンツ情報のコンテンツ種別に応じて決まる位置の分割情報または、予め設定された位置の分割情報とすることを特徴とする請求項１から請求項７のいずれかの項に記載のコンテンツ表示装置。
【請求項９】
前記分割情報割当処理部は、前記コンテンツ情報の画面構成を境界にして分割した分割情報毎に、前記操作部を割り当てることを特徴とする請求項１から請求項８のいずれかの項に記載のコンテンツ表示装置。
【請求項１０】
前記操作領域部の少なくとも一部の操作部であって、接触または加圧を検出し、各々が４方向に対応するカーソルキー操作部を具備し、
前記分割情報表示処理部は、前記カーソルキー操作部のうち、いずれかが接触または加圧を検出すると、検出した前記カーソルキー操作部に対応する向きに、前記情報示部の表示内容をスクロールさせること
を特徴とする請求項１から請求項９のいずれかの項に記載のコンテンツ表示装置。
【請求項１１】
前記分割情報割当処理部は、前記情報表示部の分割情報を表示する領域の表示画素数と前記分割情報の画素数とが対応するように前記コンテンツ情報を分割して、前記画像情報表示部に分割情報を表示させ、前記表示画素数が変更されたときは、前記分割情報の画素数が該表示画素数と対応するように、前記コンテンツ情報を分割し直すことを特徴とする請求項１から請求項１０のいずれかの項に記載のコンテンツ表示装置。
【請求項１２】
各々が識別できる、接触または加圧を検出する複数の操作部であって、各々の、前記接触または加圧を検出する領域が予め決まっている操作部を有する操作領域部を具備し、コンテンツ情報を情報表示部に表示するコンテンツ表示装置におけるコンテンツ表示方法において、
一つの前記コンテンツ情報を複数に分割した分割情報各々の配置と、前記分割情報各々に割り当てられた前記操作部の配置とが対応するように、前記分割情報各々を前記操作部に割り当てる第１の過程と、
前記第１の過程により前記分割情報が割り当てられた前記操作部と、前記分割情報が割り当てられていない前記操作部とを識別させる識別表現を行う第２の過程と、
前記操作部が接触または加圧を検出したときは、該操作部に割り当てられた前記分割情報を前記情報表示部に表示する第３の過程と
を有し、
前記分割情報の画素数は、前記情報表示部に表示される画像の画素数であり、
前記第２の過程にて、前記分割情報の縦方向の分割数が前記操作部の縦方向の配置数を超えるとき、または、前記分割情報の横方向の分割数が前記操作部の横方向の配置数を超えるときは、超える方向の前記操作領域部の端にある前記操作部を、その他の操作部と識別させる識別表現を行い、超える方向を識別可能とすること
を特徴とするコンテンツ表示方法。
【請求項１３】
各々が識別できる、接触または加圧を検出する複数の操作部であって、各々の、前記接触または加圧を検出する領域が予め決まっている操作部を有する操作領域部を具備し、コンテンツ情報を情報表示部に表示するコンテンツ表示装置のコンピュータを、
一つの前記コンテンツ情報を複数に分割した分割情報各々の配置と、前記分割情報各々に割り当てられた前記操作部の配置とが一致するように、前記分割情報各々を前記操作部に割り当てる分割情報割当処理部、
前記分割情報割当処理部により前記分割情報が割り当てられた前記操作部と、前記分割情報が割り当てられていない前記操作部とを識別させる識別表現を行なう識別制御処理部、
前記操作部が接触または加圧を検出したときは、該操作部に割り当てられた前記分割情報を前記情報表示部に表示する分割情報表示処理部
として機能させるためのプログラムであって、
前記分割情報の画素数は、前記情報表示部に表示される画像の画素数であり、
前記識別制御処理部は、前記分割情報の縦方向の分割数が前記操作部の縦方向の配置数を超えるとき、または、前記分割情報の横方向の分割数が前記操作部の横方向の配置数を超えるときは、超える方向の前記操作領域部の端にある前記操作部を、その他の操作部と識別させる識別表現を行い、超える方向を識別可能とすることを特徴とするプログラム。
【発明の詳細な説明】
【技術分野】
【０００１】
本発明は、コンテンツ表示装置、コンテンツ表示方法およびプログラム、特に、画像表示部より画素数の多いコンテンツの画像を表示するコンテンツ表示装置、コンテンツ表示方法およびプログラムに関する。
【背景技術】
【０００２】
従来の携帯端末装置は、テンキーやカーソルキーなど、それぞれにスクロール方向を割り当てたキーを備え、表示するページの大きさが表示画面よりも大きいときは、表示内容を、押されたキーに割り当てられた方向にスクロールさせることで、ページ中のユーザが所望の部分を表示画面に表示させることを可能にしている（例えば、特許文献１参照）。
また、キーにスクロール方向だけでなく、スクロールする長さも割り当てておき、例えば、カーソルキーの場合は、表示内容を１文字分ずつスクロールさせ、テンキーの場合は、表示内容を１画面ずつスクロールさせているものもある。
【特許文献１】特開２００６−３１８２１０号公報
【発明の開示】
【発明が解決しようとする課題】
【０００３】
しかしながら、従来の携帯端末装置にあっては、表示するページの大きさと表示画面との差が大きいと、所望の部分を表示させるまでに、ユーザは何度もキーを押さなければならない場合があり、ユーザにとって煩雑なことがあるという問題がある。
【０００４】
本発明は、このような事情に鑑みてなされたもので、その目的は、容易に、コンテンツの所望の部分を表示させられるコンテンツ表示装置、コンテンツ表示方法およびプログラムを提供することにある。
【課題を解決するための手段】
【０００５】
この発明は上述した課題を解決するためになされたもので、本発明のコンテンツ表示装置は、コンテンツ情報を情報表示部に表示するコンテンツ表示装置において、各々が識別できる接触または加圧を検出する複数の操作部を有する操作領域部と、一つのコンテンツ情報を複数に分割した分割情報各々の配置と、前記操作部の配置とが対応するように、前記分割情報各々を前記操作部に割り当てる分割情報割当処理部と、前記分割情報割当処理部により前記分割情報が割り当てられた前記操作部と、前記分割情報が割り当てられていない前記操作部とを識別させる識別表現を行う識別制御処理部と、前記操作部が接触または加圧を検出したときは、該操作部に割り当てられた前記分割情報を前記情報表示部に表示する分割情報表示処理部とを具備することを特徴とする。
また、本発明のコンテンツ表示装置は、上述のコンテンツ表示装置であって、前記操作部各々は、前記接触または加圧を検出する領域が予め決まっており、前記分割情報の画素数は、前記情報表示部に表示される画像の画素数であり、前記識別制御処理部は、前記分割情報の縦方向の分割数が前記操作部の縦方向の配置数を超えるとき、または、前記分割情報の横方向の分割数が前記操作部の横方向の配置数を超えるときは、超える方向の前記操作領域部の端にある前記操作部を、その他の操作部と識別させる識別表現を行い、超える方向を識別可能とすることを特徴とする。
【０００６】
また、本発明のコンテンツ表示装置は、上述のコンテンツ表示装置であって、前記識別制御処理部は、前記分割情報が割り当てられた前記操作部の識別表現を前記コンテンツ情報のコンテンツ種別に応じた形式とすることを特徴とする。
【０００７】
また、本発明のコンテンツ表示装置は、上述のコンテンツ表示装置であって、前記識別制御処理部は、前記分割情報が割り当てられた前記操作部各々の識別表現を、該操作部に割当てられた分割情報に含まれるコンテンツ種別に応じた形式とすることを特徴とする。
【０００８】
また、本発明のコンテンツ表示装置は、上述のいずれかのコンテンツ表示装置であって、前記識別制御処理部は、前記操作部のうち、前記情報表示部に表示している分割情報に割り当てられた操作部を、その他の操作部と識別させる識別表現を行うことを特徴とする。
【０００９】
また、本発明のコンテンツ表示装置は、上述のいずれかのコンテンツ表示装置であって、前記分割情報は、前記コンテンツ情報を均等に分割した画像であり、該分割における縦方向および横方向の分割数は、前記操作部の縦方向および横方向の配置数を最大値とすることを特徴とする。
【００１０】
また、本発明のコンテンツ表示装置は、上述のいずれかのコンテンツ表示装置であって、前記分割情報の画素数は、前記情報表示部に表示される画像の画素数であり、前記識別制御処理部は、前記分割情報の縦方向の分割数が前記操作部の縦方向の配置数を超えるとき、または、前記分割情報の横方向の分割数が前記操作部の横方向の配置数を超えるときは、超える方向の前記操作領域部の端にある前記操作部を、その他の操作と識別させる識別表現を行い、超える方向を識別可能とすることを特徴とする。
【００１１】
また、本発明のコンテンツ表示装置は、上述のコンテンツ表示装置であって、前記分割情報表示処理部は、いずれかの方向の前記分割数が前記配置数を超えているときは、この超えている方向の前記操作領域の端にある前記操作部の接触または加圧を検出し、さらに前記情報表示部において表示中の分割情報が該操作部に割り当てられた分割情報のときは、前記情報表示部に現在表示中の分割情報に隣接する分割情報を、前記情報表示部に表示することを特徴とする。
【００１２】
また、本発明のコンテンツ表示装置は、上述のコンテンツ表示装置であって、前記分割情報割当処理部は、いずれかの方向の前記分割数が前記配置数を超えているときは、この超えている方向の前記操作領域の端にある前記操作部の接触または加圧を検出し、さらに前記情報表示部において表示中の分割情報が該操作部に割り当てられた分割情報のときは、該分割情報に前記分割数が配置数を超えている方向に隣接する分割情報を含む前記配置数分の分割情報を、前記操作部各々に割り当てることを特徴とする。
【００１３】
また、本発明のコンテンツ表示装置は、上述のいずれかのコンテンツ表示装置であって、前記分割情報割当処理部は、前記操作領域部のうち、所定の割り当てが設定された操作部を基準として、前記分割情報各々に別の前記操作部を割り当てることを特徴とする。
【００１４】
また、本発明のコンテンツ表示装置は、上述のいずれかのコンテンツ表示装置であって、前記分割情報表示処理部は、前記情報表示部に初期表示する分割情報を、前記コンテンツ情報のコンテンツ種別に応じて決まる位置の分割情報または、予め設定された位置の分割情報とすることを特徴とする。
【００１５】
また、本発明のコンテンツ表示装置は、上述のいずれかのコンテンツ表示装置であって、前記分割情報割当処理部は、前記コンテンツ情報の画面構成を境界にして分割した分割情報毎に、前記操作部を割り当てることを特徴とする。
【００１６】
また、本発明のコンテンツ表示装置は、上述のいずれかのコンテンツ表示装置であって、前記操作領域部の少なくとも一部の操作部であって、接触または加圧を検出し、各々が４方向に対応するカーソルキー操作部を具備し、前記分割情報表示処理部は、前記カーソルキー操作部のうち、いずれかが接触または加圧を検出すると、検出した前記カーソルキー操作部に対応する向きに、前記情報示部の表示内容をスクロールさせることを特徴とする。
【００１７】
また、本発明のコンテンツ表示装置は、上述のいずれかのコンテンツ表示装置であって、前記分割情報割当処理部は、前記情報表示部の分割情報を表示する領域の表示画素数と前記分割情報の画素数とが対応するように前記コンテンツ情報を分割して、前記画像情報表示部に分割情報を表示させ、前記表示画素数が変更されたときは、前記分割情報の画素数が該表示画素数と対応するように、前記コンテンツ情報を分割し直すことを特徴とする。
【００１８】
また、本発明のコンテンツ表示方法は、各々が識別できる、接触または加圧を検出する複数の操作部であって、各々の、前記接触または加圧を検出する領域が予め決まっている操作部を有する操作領域部を具備し、コンテンツ情報を情報表示部に表示するコンテンツ表示装置におけるコンテンツ表示方法において、一つの前記コンテンツ情報を複数に分割した分割情報各々の配置と、前記分割情報各々に割り当てられた前記操作部の配置とが対応するように、前記分割情報各々を前記操作部に割り当てる第１の過程と、前記第１の過程により前記分割情報が割り当てられた前記操作部と、前記分割情報が割り当てられていない前記操作部とを識別させる識別表現を行う第２の過程と、前記操作部が接触または加圧を検出したときは、該操作部に割り当てられた前記分割情報を前記情報表示部に表示する第３の過程とを有し、前記分割情報の画素数は、前記情報表示部に表示される画像の画素数であり、前記第２の過程にて、前記分割情報の縦方向の分割数が前記操作部の縦方向の配置数を超えるとき、または、前記分割情報の横方向の分割数が前記操作部の横方向の配置数を超えるときは、超える方向の前記操作領域部の端にある前記操作部を、その他の操作部と識別させる識別表現を行い、超える方向を識別可能とすることを特徴とする。
【００１９】
また、本発明のプログラムは、各々が識別できる、接触または加圧を検出する複数の操作部であって、各々の、前記接触または加圧を検出する領域が予め決まっている操作部を有する操作領域部を具備し、コンテンツ情報を情報表示部に表示するコンテンツ表示装置のコンピュータを、一つの前記コンテンツ情報を複数に分割した分割情報各々の配置と、前記分割情報各々に割り当てられた前記操作部の配置とが一致するように、前記分割情報各々を前記操作部に割り当てる分割情報割当処理部、前記分割情報割当処理部により前記分割情報が割り当てられた前記操作部と、前記分割情報が割り当てられていない前記操作部とを識別させる識別表現を行なう識別制御処理部、前記操作部が接触または加圧を検出したときは、該操作部に割り当てられた前記分割情報を前記情報表示部に表示する分割情報表示処理部として機能させるためのプログラムであって、前記分割情報の画素数は、前記情報表示部に表示される画像の画素数であり、前記識別制御処理部は、前記分割情報の縦方向の分割数が前記操作部の縦方向の配置数を超えるとき、または、前記分割情報の横方向の分割数が前記操作部の横方向の配置数を超えるときは、超える方向の前記操作領域部の端にある前記操作部を、その他の操作部と識別させる識別表現を行い、超える方向を識別可能とすることを特徴とするプログラムである。
【発明の効果】
【００２０】
この発明によれば、分割情報割当処理部により分割情報が割り当てられた操作部については、識別制御処理部が、他の操作部と識別させる識別表現を行うので、ユーザは、どの操作部に対して接触あるいは加圧の操作すれば、コンテンツ情報のどの部分の分割情報を表示させられるかを把握し、該当部分に相当する操作部を操作するだけで、容易に所望の部分を表示させることができる。
【発明を実施するための最良の形態】
【００２１】
［第１の実施形態］
以下、図面を参照して、本発明の第１の実施形態について説明する。本実施形態では、コンテンツの画像が大きい（画素数が多い）ために表示しきれないときに、コンテンツの画像を分割した分割画像を各テンキーに割り当てておき、いずれかのテンキーを押すと、割り当てられた分割画像を表示するようにする。このとき、各キーと分割画像との対応を、テンキーにおける配置とコンテンツの画像における配置と同じ配置になるようにテンキーに割り当て、分割画像が割り当てられたキーと表示中の分割画像が割り当てられたキーについては、その他のキーとは異なる色のＬＥＤを点灯させて分割画像が割り当てられていることを示すようにしたコンテンツ表示装置である携帯電話機１００について説明する。図１を参照して携帯電話機１００の外観を説明した後、図２を参照して携帯電話機１００の構成を説明する。
【００２２】
図１は、本実施形態における携帯電話機１００の外観図である。本実施形態では、本発明によるコンテンツ表示装置の機能をクラムシェルタイプ（折り畳み構造）の携帯電話機１００に実装した例を説明する。図１は、この携帯電話機１００を開いた状態で入力操作用のキーが設けられている側を表わす。
図１の上部のスピーカ１１７、下部のマイク１１６は通話に用いられる。
操作領域部１０９には、カーソルキー１０９１、決定キー１０９２、テンキー、＊、＃キー１０９３が含まれ、これらのキー（操作部）は、個々が突起したボタンまたは全体がフラットなパネルであり、指などにより加圧されて押下されたことを検出するスイッチ、または、指などが接触したことを検出するタッチパッドを備え、各々のキーが操作されたことを識別できる。また、各キーは、その裏側にＬＥＤ（発光ダイオード）が設置されており、各ＬＥＤが発した光をユーザが認識できるように、これらの光を透過する。なお、各キーがこれらの光を透過するのでなく、各キーの周辺部がこれらの光を透過するようにしてもよい。このＬＥＤは、キー毎に緑、オレンジ、赤の３色が設置されており、主制御部１０４からの指示に従い発光する。これらのキーは、通話先の電話番号入力、電子メールの文字入力、メニュー選択、機能選択等に使用される。テンキー、＊、＃キー１０９３は、１行（横方向）に３個ずつ、４行に配置された計１２個のキーを備える。この１２個のキーのうち、１番上の行は左から順に「１」、「２」、「３」のキーであり、上から２番目の行は左から順に、「４」、「５」、「６」のキーであり、上から３番目の行は左から順に、「７」、「８」、「９」のキーであり、上から４番目の行は左から順に「＊」、「０」、「＃」のキーである。
画像表示部（情報表示部）１１１は、画像、文字等を表示する表示装置である。また、画像表示部１１１は、操作部１０９による操作に応じて電子メール、画像、メニュー画面、機能設定画面等が表示される。
【００２３】
次に、図２を参照して携帯電話機１００の構成を説明する。図２は、第１の実施形態による携帯電話機１００の構成を示す概略ブロック図である。
無線部１０２は、アンテナ１０１が受信する受信信号をベースバンドの受信信号に変換して通信制御部１０３に出力する。また、無線部１０２は通信制御部１０３から入力する送信信号を送信周波数の信号に変調し、アンテナ１０１へ出力して送信する。
通信制御部１０３は、無線部１０２から入力した受信信号の復調処理と、主制御部１０４から入力した送信信号の変調処理とを行う。
これらアンテナ１０１や無線部１０２や通信制御部１０３は、携帯通信網やＷ−ＬＡＮ（無線ＬＡＮ、ワイヤレス・ローカル・エリア・ネットワーク）などによる通信を行なうための通信手段である。
主制御部１０４は、不揮発性のメモリであるプログラムメモリ１０５に記憶されたプログラムを実行して各部を制御するＣＰＵ（Ｃｅｎｔｒａｌ  Ｐｒｏｃｅｓｓｉｎｇ  Ｕｎｉｔ）。
【００２４】
メモリ１０６は、通話、電子メール等を行う場合に使用されるデータに加え、ユーザにより設定された情報など、その他の管理情報を記憶する不揮発性のメモリである。
表示画像メモリ１０７は、コンテンツの画像を記憶する揮発性のメモリであるが、詳細は後述する。
大容量メモリ１０８は、地図情報等のコンテンツのデータを記憶する不揮発性のメモリである。
操作領域部１０９は、図１を参照して説明した通りであり、操作に応じた信号を主制御部１０４に出力する。
主カメラ１１０、光学素子、撮像部、映像信号処理部を備え、被写体の像をデジタル信号に変換して主制御部１０４に出力する。
画像表示部１１１は、図１を参照して説明した通りであり、主制御部１０４から入力する表示用の信号に基づいて画像、文字等を表示する液晶ディスプレイであるが、有機ＥＬ（エレクトロルミネセンス）ディスプレイなどの、その他の画像表示手段であってもよい。
振動部１１３は、ユーザが認識できる程度にモータにより振動を発生させる。
ＧＰＳ（Global Positioning System）機能１１４は、ＧＰＳ衛星からの電波信号をアンテナを介して受信し、地上における携帯電話機１００の位置を求める。
【００２５】
音声処理部１１５は、マイク１１６から入力される音声信号をデジタル信号に変換して主制御部１０４に出力し、また、主制御部１０４からデジタルの音声信号を入力してアナログの音声信号に変換し、スピーカ１１７に出力して発音させる。
ＲＦＩＤ（Radio Frequency IDentification）リーダ１１８は、アンテナを介して近距離の無線通信によって外部のタグに埋め込まれたＩＣチップのＩＤ情報を読み取る。
Ｉｒ送信部１１９、Ｉｒ受信部１２０は、赤外線を利用して外部の機器とデータ通信を行う。
【００２６】
インジケータ１２１は、例えば、光を発してユーザに認識させるＬＥＤ（発光ダイオード）である。インジケータ１２１は、携帯電話機１００を折り畳んだ状態でもユーザが見ることができる位置に設けられており、折り畳んだ状態でユーザに情報を通知する表示装置として用いられる。このインジケータ１２１として、異なる色の複数のＬＥＤを用いて、携帯電話機１００の処理状態に基づき場合分けしてユーザに通知する表示装置として用いてもよい。
なお、ユーザの注意をひくために使用される振動部１１３、インジケータ１２１に代えて、または、これらに加えて、匂いを発生する匂い発生部を備えてもよい。匂いを発生するには、携帯電話機１００の内部に複数の化学物質を保持し、これらを混合させる等、各種の既存技術を用いることができる。
電源制御部１２３は電池１２４から電力の供給を受け、各部に電力を供給する。
その他、携帯電話機１００は、例えばブルートゥース（登録商標）のような近距離無線通信技術を用いて、携帯電話機１００と録画機器との間の近距離通信を行う機能を有することができる。
【００２７】
なお、以下で説明する実施形態においては、アンテナ１０１、無線部１０２、主カメラ１１０、振動部１１３、ＧＰＳ機能１１４、音声処理部１１５、マイク１１６、スピーカ１１７、ＲＦＩＤリーダ１１８、Ｉｒ送信部１１９、Ｉｒ受信部１２０、インジケータ１２１、電源制御部１２３、電池１２４は、本発明の説明において、特に使用しない。
【００２８】
図３は、主制御部１０４が、プログラムメモリ１０５に記憶されているプログラムを読み出して実行することで機能する主処理部１０４０の構成を示す概略ブロック図である。主処理部１０４０は、発光制御処理部１０４１、分割画像表示処理部１０４２、分割画像割当処理部１０４３、表示部設定処理部１０４４、Ｗｅｂ処理部１０４５を具備する。
Ｗｅｂ処理部１０４５は、携帯電話網などを介して、外部のサーバから取得したＨＴＭＬファイルや画像ファイルなどのコンテンツデータに基づき、ユーザに画像表示部１１１を用いて提示するコンテンツの画像（コンテンツ情報）を生成し、表示画像メモリ１０７に格納する。
表示部設定処理部１０４４は、ユーザによる指定を受けて、例えば、横１００ドット、縦２００ドットなどの画像表示部１１１の解像度を設定する。
【００２９】
分割画像割当処理部（分割情報割当処理部）１０４３は、表示画像メモリ１０７に格納されているコンテンツの画像を複数に分割した分割画像（分割情報）各々のコンテンツの画像における配置と、分割画像各々に割り当てられたテンキーの携帯電話機１００の表面における配置とが一致するように、分割画像各々にテンキーを割り当てる。具体的には、分割画像割当処理部１０４３は、コンテンツの画像の幅と高さ（横と縦）の画素数を表示画像メモリ１０７から取得し、取得した幅と高さの画像を、画像表示部１１１に設定されている解像度の画素数（表示画素数）と分割画像の画素数とが対応するように分割したときの、該分割画像のコンテンツの画像における配置と、テンキー、＊、＃キー１０９３における配置が一致するキーを該分割画像に割り当てる。
【００３０】
すなわち、分割画像割当処理部１０４３は、コンテンツの画像における１番上の行の分割画像には、左から順に「１」、「２」、「３」キーを割り当て、上から２番目の行の分割画像には、左から順に「４」、「５」、「６」キーを割り当て、上から３番目の行の分割画像には、左から順に「７」、「８」、「９」キーを割り当て、上から４番目の行の分割画像には、左から順に「＊」、「０」、「＃」キーを割り当てる。そして分割画像割当処理部１０４３は、各分割画像の基準点となる左上端のコンテンツの画像における座標と、該分割画像の縦および横の画素数と、該分割画像に割り当てたキーを識別する情報とを対応付けた分割画像割当テーブルを生成する。
【００３１】
発光制御処理部（識別制御処理部）１０４１は、分割画像割当処理部１０４３が生成した分割画像割当テーブルを参照して、分割画像が割り当てられたキーをその他の分割画像が割り当てられていないキーと識別させる識別表現を行う、すなわち該キーのオレンジ色のＬＥＤを発光させる。発光制御処理部１０４１は、後述するように分割画像表示処理部１０４２が分割画像を画像表示部１１１に表示すると、該表示している分割画像に割り当てられたキーをその他のキーと識別させる識別表現を行う、すなわち該キーの赤色のＬＥＤを発光させる。
【００３２】
分割画像表示処理部（分割情報表示処理部）１０４２は、テンキー、＊、＃キー１０９３が接触または加圧を検出したとき、すなわちユーザにより押下されたときは、押下されたキーに割り当てられた分割画像の基準となる左上端のコンテンツの画像における座標と、該分割画像の縦および横の画素数とを分割画像割当テーブルから取得し、表示画像メモリ１０７に格納されているコンテンツの画像のうち、先に取得した座標から縦および横の画素数の画像を分割画像として抽出し、該分割画像を画像表示部１１１に表示する。
なお、４方向に対応するカーソルキー１０９１のいずれかが押下されたときは、分割画像表示処理部１０４２は、表示中の分割画像に対して、押下されたカーソルキー１０９１の向きに隣接する分割画像を画像表示部１１１に表示するようにしてもよいし、押下されたカーソルキー１０９１の向きにスクロールした画像を画像表示部１１１に表示するようにしてもよい。
【００３３】
図４は、コンテンツの画像を２行２列の分割画像に分割する場合の分割画像割当テーブルの例を示す図である。本実施形態では、座標はコンテンツの画像の左上端を原点とし、Ｘ軸を右向きを正とする横軸に、Ｙ軸を下向きを正とする縦軸にとっている。分割画像割当テーブルは、図４に例示する「１」キーに割り当てられた分割画像の基準点のＸ座標「０」、Ｙ座標「０」、幅「１００」、高さ「２００」、「２」キーに割り当てられた分割画像の基準点のＸ座標「１００」、Ｙ座標「０」、幅「１００」、高さ「２００」、「４」キーに割り当てられた分割画像の基準点のＸ座標「０」、Ｙ座標「２００」、幅「１００」、高さ「２００」、「５」キーに割り当てられた分割画像の基準点のＸ座標「１００」、Ｙ座標「２００」、幅「１００」、高さ「２００」というように、各キーに割り当てられた分割画像の基準点の座標と幅と高さとを、割り当てられたキーを識別する情報と対応付けて格納している。
【００３４】
図５は、図４に例示する分割画像割当テーブルのように、コンテンツの画像Ｇ１を２行２列の分割画像に分割したときのコンテンツの画像における分割画像Ｄ１〜Ｄ４の配置を黒枠で表した図である。図５において、分割画像Ｄ１〜Ｄ４の中央に付した数字「１」、「２」、「４」、「５」は、各分割画像Ｄ１〜Ｄ４に割り当てられたテンキーを表す数字である。図５の携帯電話機１００は、コンテンツの画像Ｇ１における左上端の分割画像Ｄ１を画像表示部１１１に表示しており、表示中の分割画像Ｄ１が割り当てられた「１」キーＫ１は赤色に発光し、それぞれ分割画像Ｄ２〜Ｄ４が割り当てられた「２」キーＫ２と「４」キーＫ４と「５」キーＫ５とはオレンジ色に発光している。
【００３５】
図６は、コンテンツの画像を２行４列の分割画像に分割する場合の分割画像割当テーブルの例を示す図である。本実施形態におけるテンキー、＊、＃キー１０９３は、横３列縦４行に配置されたキーであるため、図６に示す例のように２行４列に分割した場合、分割数が横方向のキーの配置数を超えており、キーが足りない。このような場合、分割画像割当テーブルは、図５に例示したテーブルと同様に図６に例示する「１」キーに割り当てられた分割画像の基準点のＸ座標「０」、Ｙ座標「０」、幅「１００」、高さ「２００」というように、キーに割り当てられた分割画像の基準点の座標と幅と高さとを、割り当てられたキーを識別する情報と対応付けて格納するとともに、キーの配置数を超えているためにキーに割り当てられなかった分割画像であり、「３」キーに割り当てられた分割画像の右隣の分割画像については、「３」キーに割り当てられた分割画像を表示しているときに「３」キーを押下されると、分割画像表示処理部１０４２が画像表示部１１１に表示させる分割画像であることを表す「３＋３」を割り当てられたキーを表す情報に代えて格納し、この「３＋３」と対応付けて基準点のＸ座標「３００」、Ｙ座標「０」、幅「８０」、高さ「２００」を格納している。
【００３６】
同様に、分割数がキーの配置数を超えているためにキーに割り当てられなかった分割画像であり、「６」キーに割り当てられた分割画像の右隣の分割画像については、「６」キーに割り当てられた分割画像を表示しているときに「６」キーを押下されると、分割画像表示処理部１０４２が画像表示部１１１に表示させる分割画像であることを表す「６＋６」を割り当てられたキーを表す情報に代えて格納し、この「６＋６」と対応付けて基準点のＸ座標「３００」、Ｙ座標「２００」、幅「８０」、高さ「２００」を格納している。さらに、この「３＋３」および「６＋６」の右隣に分割画像があるときは、分割画像割当テーブルは、例えば、「３＋３」の分割画像を表示しているときに「３」キーを押下されると、分割画像表示処理部１０４２が画像表示部１１１に表示させる分割画像であることを表す「３＋３＋３」を、割り当てられたキーを表す情報に代えて格納し、この「３＋３＋３」と対応付けて該分割画像の基準点のＸ座標、Ｙ座標、幅、高さを格納する。さらに多くの分割画像が、キーの配置数を超えているためにキーに割り当てられなかったときも、同様のことを繰り返す。また、横方向でなく、縦方向に分割画像数がキーの配置数を超えているためにキーに割り当てられなかったときも、同様のことを繰り返す。
【００３７】
図７は、図６に例示する分割画像割当テーブルのように、コンテンツの画像Ｇ２を２行４列の分割画像に分割したときのコンテンツの画像における分割画像Ｄ５〜Ｄ１２の配置を黒枠で表した図である。図７において、分割画像Ｄ５〜Ｄ１２の中央に付した数字「１」、「２」、「３」、「３＋３」、「４」、「５」、「６」、「６＋６」は、各分割画像分割画像Ｄ５〜Ｄ１２に割り当てられたキーを表す情報として分割画像割当テーブルに格納されている情報である。図７の携帯電話機１００は、コンテンツの画像Ｇ２における左上端の分割画像Ｄ５を画像表示部１１１に表示しており、発光制御処理部１０４１は、表示中の分割画像Ｄ５が割り当てられた「１」キーＫ５を赤色に発光させ、それぞれ分割画像Ｄ６、Ｄ９、Ｄ１０が割り当てられた「２」キーＫ５と「４」キーＫ９と「５」キーＫ１０とをオレンジ色に発光させ、分割画像Ｄ７、Ｄ１１が割り当てられているとともに、該キーに割り当てられた分割画像を表示しているときに該キーを押下されるとその隣の分割画像を表示させる「３」キーＫ７と「６」キーＫ１１とをオレンジ色の点滅にさせる識別表現を行い、超える方向を識別可能としている。
【００３８】
さらに分割画像Ｄ８、Ｄ１２の右隣に分割画像があるときも、発光制御処理部１０４１は、「３」キーＫ７と「６」キーＫ１１とをオレンジ色の点滅にさせる。また、横方向でなく縦方向に分割画像の数が、キーの配置数である４を超えているときは、発光制御処理部１０４１は、「＊」キー、「０」キー、「＃」キーのうち、分割画像が割り当てられているキーを同様にオレンジ色の点滅にさせる。
【００３９】
図８は、携帯電話機１００におけるコンテンツの画像表示に関する動作を説明するフローチャートである。Ｗｅｂ処理部１０４５などがコンテンツの画像を生成して表示画像メモリ１０７に格納すると、分割画像割当処理部１０４３は、表示画像メモリ１０７からコンテンツの画像のサイズ（縦および横の画素数）を取得する（Ｓ１）。次に、分割画像割当処理部１０４３は、画像表示部１１１に設定されている解像度の画素数を取得する（Ｓ２）。分割画像割当処理部１０４３は、ステップＳ２で取得した画像表示部１１１の画素数とステップＳ１で取得したコンテンツの画像の画素数とを比較し、縦方向、横方向ともに画像表示部１１１の画素数が多いか否かを判定する（Ｓ３）。
【００４０】
縦方向、横方向ともに画像表示部１１１の画素数が多いと判定したときは、主処理部１０４０は、表示画像メモリ１０７からコンテンツの画像を読み出して、画像表示部１１１に表示させる（Ｓ１１）。次に、主処理部１０４０は、表示部設定処理部１０４４を介して、画像表示部画像表示部１１１の解像度の設定が変更されたか否かを判定し（Ｓ１２）、変更されたと判定したときは、前述のステップＳ２に遷移して、コンテンツ画像の分割をし直す。またステップＳ１２において、変更されていないと判定したときは、表示画像メモリ１０７に格納されているコンテンツの画像が更新されたか否かを判定し（Ｓ１３）、変更されたと判定したときは、前述のステップＳ１に遷移する。このステップＳ１３において、変更されていないと判定したときは、前述のステップＳ１２に遷移して処理を繰り返す。
【００４１】
一方、ステップＳ３において、縦方向、横方向ともにコンテンツの画像より画像表示部１１１の方が画素数が多くない、すなわち、縦方向、横方向のうち少なくともどちらかについて、コンテンツの画像の方が画像表示部１１１より画素数が多いと判定したときは、分割画像割当処理部１０４３が、各分割画像へのキーの割り当てを決定し、図４や図６で例示したような分割画像割当テーブルを生成する。次に、分割画像表示処理部１０４２は、分割画像割当テーブルを参照して、表示画像メモリ１０７に格納されているコンテンツの画像から分割画像を抽出して、画像表示部１１１に表示する。
【００４２】
なお、分割画像表示処理部１０４２は、押下されたキーに応じた分割画像の情報を分割画像割当テーブルから取得し、該分割画像を画像表示部１１１に表示するが、初回については、キー入力がないので、コンテンツの画像における予め決められた位置の分割画像を画像表示部１１１に初期表示する。この位置は、例えば、左上端の分割画像というように、予め設定された位置であってもよいし、テキストデータに基づくコンテンツの画像であれば、左上端とし、写真などの画像データに基づくコンテンツの画像であれば、コンテンツの画像の中央とするというように、該コンテンツの画像のコンテンツ種別によって決まる位置であってもよい。
【００４３】
次に、発光制御処理部１０４１は、テンキー、＊、＃キー１０９３のうち、ステップＳ５において分割画像表示処理部１０４２が画像表示部１１１に表示した分割画像が割り当てられているキーを赤色に発光させ、赤色に発光させたキー以外で、ステップＳ４において分割画像割当処理部１０４３が生成した分割画像割当テーブルにおいて分割画像が割り当てられたキーをオレンジ色に発光させる（Ｓ６）。また、発光制御処理部１０４１は、図７で示したキーＫ７、Ｋ１１のように、該キーに割り当てられた分割画像を表示中に該キーを押下されるとその隣の分割画像を表示させるキーについては、オレンジ色の点滅にさせる。
【００４４】
次に、分割画像表示処理部１０４２は、テンキー、＊、＃キー１０９３のうち、押下されたキーのキー入力を取得する（Ｓ７）。分割画像表示処理部１０４２は、取得したキー入力のキーに割り当てられた分割画像があるか否かを、分割画像割当テーブルを参照して判定する（Ｓ８）。割り当てられた分割画像があると判定したときは、ステップＳ５に遷移して、分割画像表示処理部１０４２は、取得したキー入力のキーに応じた分割画像の表示を行い、以降、上述の処理を繰り返す。
【００４５】
一方、ステップＳ８の判定において、割り当てられた分割画像がないと判定したときは、分割画像割当処理部１０４３は、表示部設定処理部１０４４を介した画像表示部１１１のサイズ変更、すなわち、解像度の設定変更があるか否かを判定する（Ｓ９）。サイズ変更があると判定したときは、ステップＳ２に戻って、上述の処理を繰り返す。また、ステップＳ９の判定において、サイズ変更が無いと判定したときは、分割画像割当処理部１０４３は、コンテンツの画像が更新されたか否か、すなわち、Ｗｅｂ処理部１０４５などが新しいコンテンツの画像を生成して、表示画像メモリ１０７に書き込んだか否かを判定する（Ｓ１０）。コンテンツの画像が更新されたと判定したときは、ステップＳ１に遷移して、上述の処理を繰り返す。また、ステップＳ１０において、コンテンツの更新がないと判定したときは、ステップＳ７に遷移して上述の処理を繰り返す。
【００４６】
なお、本実施形態において、分割画像割当処理部１０４３は、分割画像を割り当てるキーは、テンキー、＊、＃キー１０９３のうち、左上端の「１」キーを基準に優先して割り当てて、例えば２行２列の分割画像の場合は、図９に示す領域Ａ１の「１」キー、「２」キー、「４」キー、「５」キーに分割画像を割り当てていたが、右上端の「３」キーを基準に優先して割り当てて、領域Ａ２の「２」キー、「３」キー、「５」キー、「６」キーに割り当てるようにしたり、中心近くの「５」キーを基準に優先して割り当てて、領域Ａ３の「４」キー、「５」キー、「７」キー、「８」キーに割り当てたりするようにしてもよい。また、基準に優先して割り当てるキーを、ユーザが設定可能なようにしてもよい。
【００４７】
このように、分割画像割当処理部１０４３により分割画像が割り当てられたキーについては、発光制御処理部１０４１が、他のキーと識別可能なようにオレンジ色に発光させるので、ユーザは、どのキーを操作すれば、コンテンツの画像のどの部分の分割画像を表示させられるかを把握し、該当部分に相当するキーを押下するだけで、容易に所望の部分を表示させることができる。
また、分割画像表示処理部１０４２が画像表示部１１１に表示した分割画像に割り当てられたキーを、他のキーと識別可能なように赤色に発光させるので、ユーザは、現在表示中の分割画像が、コンテンツの画像中のどの部分にあたるかを容易に把握することができる。
【００４８】
また、発光制御処理部１０４１は、分割画像が割り当てられたキー、または、表示中の分割画像が割り当てられたキーについては、該分割画像に含まれるコンテンツ種別（例えば、テキスト、写真、動画など）に応じた形式の識別表現とする、すなわちコンテンツ種別に応じた色、点滅間隔などにして発光させることで、どの部分にどのような情報が格納されているかを、ユーザが容易に把握できるようにすることができる。また、分割画像に含まれるコンテンツ種別ではなく、コンテンツの画像全体のコンテンツ種別（例えば、Ｗｅｂページ、テキスト、写真などの種別）に応じた形式の識別表現としてもよく、これにより、コンテンツの種別を、ユーザが容易に把握できるようにすることができる。
また、コンテンツの画像の分割画像への分割数が、キーの配置数を超えていても、分割画像割当処理部１０４３は、図６に例示するような分割画像割当テーブルを生成して、超えている分の分割画像には、分割数が配置数を超えている方向の端のキーを複数回押すこと（図６の分割画像割当テーブルの例では、「３」キーおよび「６」キー」）を割り当てるので、該分割画像を表示させることができる。
【００４９】
なお、本実施形態においては、分割数が配置数を超えている方向の端のキー（図６の分割画像割当テーブルの例では、「３」キーおよび「６」キー」）を複数回押されると、分割数が配置数を超えている分の分割画像を表示させるとして説明したが、分割数が配置数を超えている方向の端のキーを、該キーに割り当てられている分割画像を表示している際に押されると、分割画像割当処理部１０４３が各キーへの分割画像の割り当てを再度行い、分割数が配置数を超えている分の分割画像のうち配置数分の分割画像を、各キーに割り当てるように分割画像割当テーブルを更新し、これらのキーが押されると、分割画像表示処理部１０４２が、押されたキーに新しく割り当てられた分割画像（分割数が配置数を超えている分の分割画像）を表示するようにしてもよい。
【００５０】
例えば、「３」キーに割当てられた左から３番目の分割画像が表示されているときに、「３」キーが押下されると、分割画像割当処理部１０４３が、「１」キーに左から４番目の分割画像を割当て、「２」キーに左から５番目の分割画像を割当て、「３」キーに左から６番目の分割画像を割当て、分割画像表示処理部１０４２は、「１」キーに割当てられた左から４番目の分割画像を表示する。なお、ここでは、端のキーが押下されると分割画像割当テーブルに配置数を超えている分の分割画像を割当てる、すなわち「３」キーが押下されると「１」キーに左から４番目の分割画像を割当てて４番目の分割画像を表示するとして説明した。しかし、端のキーが押下されると分割画像割当テーブルに端のキーに割当てられた分割画像と配置数を超えている分の分割画像とを割当てる、すなわち「３」キーが押下されると「１」キーに３番目の分割画像を割当てて、そのまま３番目の分割画像を表示するようにしてもよい。
【００５１】
なお、本実施形態において、発光制御処理部１０４１は、分割画像が割り当てられたキーをその他の分割画像が割り当てられていないキーと識別可能なように、該キーのオレンジ色のＬＥＤを発光させるとして説明したが、割り当てられていないキーと識別可能なように異なる色、点滅サイクルあるいは輝度などの形式で該キーを発光させるようにしてもよい。また、発光制御処理部１０４１は、該キーに割り当てられた分割画像のコンテンツ種別に応じた色、点滅サイクルあるいは輝度などの形式で該キーを発光させるようにしてもよい。
【００５２】
また、発光制御処理部１０４１は、分割画像表示処理部１０４２が分割画像を画像表示部１１１に表示すると、該分割画像に割り当てられたキーをその他のキーと識別可能なように、該キーの赤色のＬＥＤを発光させるとして説明したが、該分割画像に割り当てられたキーをその他のキーと識別可能なように異なる色、点滅サイクルあるいは輝度などの形式で該キーを発光させるようにしてもよい。
また、各キーがＬＥＤを備え、発光制御処理部１０４１は、この各キーのＬＥＤを制御するとして説明したが、ＬＥＤなどの発光手段をキーの近傍（例えば周囲）に備え、これを制御するようにしてもよい。
【００５３】
［第２の実施形態］
以下、図面を参照して、本発明の第２の実施形態について説明する。図１０は、本実施形態における携帯電話機１００ａの主制御部１０４が、プログラムメモリ１０５に格納されているプログラムを実行することで機能する主処理部１０４０ａの構成を示す概略ブロック図であり、併せて、該主処理部１０４０ａに関連する操作領域部１０９、画像表示部１１１、表示画像メモリ１０７、通信制御部１０３を示す。同図において図３の各部に対応する部分（１０３、１０７、１０９、１１１、１０４１、１０４４、１０４５）には同一の符号を付け、その説明を省略する。
【００５４】
本実施形態における主処理部１０４０ａは、発光制御処理部１０４１、分割画像表示処理部１０４２ａ、分割画像割当処理部１０４３ａ、表示部設定処理部１０４４、Ｗｅｂ処理部１０４５を具備する。主処理部１０４０ａは、図３に示す第１の実施形態における主処理部１０４０とは、分割画像表示処理部１０４２ａと、分割画像割当処理部１０４３ａが異なる。
【００５５】
分割画像割当処理部（分割情報割当処理部）１０４３ａは、コンテンツの画像の幅と高さの画素数を表示画像メモリ１０７から取得し、取得した幅と高さの画像をテンキー、＊、＃キー１０９３の配置数で均等に分割した領域を分割画像（分割情報）とし、これらの分割画像のコンテンツの画像における配置と、テンキー、＊、＃キー１０９３における配置が一致するキーを該分割画像に割り当てる。すなわち、コンテンツの画像の分割における縦方向および横方向の分割数は、テンキー、＊、＃キー１０９３の縦方向および横方向の配置数を最大値とする。そして分割画像割当処理部１０４３ａは、各分割画像の基準点となる左上端のコンテンツの画像における座標と、該分割画像の縦および横の画素数と、該分割画像に割り当てたキーを識別する情報とを対応付けた分割画像割当テーブルを生成する。
【００５６】
このとき、分割画像割当処理部１０４３ａは、コンテンツの画像の幅または高さを、テンキー、＊、＃キー１０９３の配置数で等分し、分割画像の縦横比が、画像表示部１１１の解像度の縦横比と一致するようにして分割画像の幅および高さを決定してもよいし、分割画像の縦横比は、画像表示部１１１の解像度の縦横比と一致するとは限らないが、コンテンツの画像の幅および高さを、テンキー、＊、＃キー１０９３の配置数（本実施形態では幅が「３」、高さが「４」）で等分して分割画像の幅および高さを決定してもよい。
【００５７】
分割画像表示処理部（分割情報表示処理部）１０４２ａは、図３に示す第１の実施形態における分割画像表示処理部１０４２と同様に、押下されたテンキー、＊、＃キー１０９３に応じた分割画像を、分割画像割当テーブルに基づき、表示画像メモリ１０７のコンテンツの画像から抽出して画像表示部１１１に表示するが、画像表示部１１１に表示する際に、分割画像の画素数が画像表示部１１１の解像度と一致するように、分割画像の拡大または縮小を行う点が異なる。
【００５８】
なお、本実施形態においては、分割画像表示処理部１０４２ａは、画像表示部１１１に表示する際に、分割画像の画素数が画像表示部１１１の解像度と一致するように、分割画像の拡大または縮小を行うとして説明したが、分割画像割当処理部１０４３ａが、分割画像割当テーブルを生成する際に、分割画像の画素数が画像表示部１１１の解像度より小さくならないようにして、分割画像表示処理部１０４２ａが行なうのは、分割画像の縮小のみであり、拡大は行わないようにしてもよい。
【００５９】
図１１は、コンテンツの画像Ｇ３と、該コンテンツの画像Ｇ３を等分して縮小した分割画像Ｄ１３〜Ｄ１８とを例示してこれらの関係を説明する図である。図１１の例は、コンテンツの画像の幅を、テンキー、＊、＃キー１０９３の配置数「３」で等分し、分割画像の縦横比が、画像表示部１１１の解像どの縦横比と一致するように分割している例である。
【００６０】
このように、コンテンツの画像を、テンキー、＊、＃キー１０９３の配置数で等分した画像を分割画像とすることで、全ての分割画像をテンキー、＊、＃キー１０９３に割り当てることができ、第１の実施形態のように、分割数が配置数を超えた分の分割画像を、キーを複数回押して表示させるようにする必要がなくなる。
【００６１】
なお、コンテンツの画像の幅または高さをテンキー、＊、＃キー１０９３の配置数で等分し、分割画像の縦横比が、画像表示部１１１の解像度の縦横比と一致するようにして分割画像の幅および高さを決定する場合は、等分しなかった方向の分割数がテンキー、＊、＃キー１０９３の配置数より大きくならないように等分をする方向を決める方が、全ての分割画像がテンキー、＊、＃キー１０９３のいずれかのキーに割り当てられるので望ましい。
また、分割数が、テンキー、＊、＃キー１０９３のキーの配置数と同じか、少ない場合は、第１の実施形態と同様に動作し、分割数が配置数を超える場合は、本実施形態と同様に動作するようにしてもよい。
【００６２】
［第３の実施形態］
以下、図面を参照して、本発明の第３の実施形態について説明する。図１２は、本実施形態における携帯電話機１００ｂの外観図である。本実施形態では、本発明によるコンテンツ表示装置の機能を全面タッチディスプレイのバータイプの携帯電話機１００ｂに実装した例を説明するが、ここで、タッチディスプレイはコンテンツ表示部と操作領域部を一体型のディスプレイとしても良いし、分かれたディスプレイで構成されても本発明には直接に関係しない。また、ここでディスプレイは液晶表示タイプで説明するがそれ以外の有機ＥＬ等の他のフラットタイプのものであってもよい。
携帯電話機１００ｂは、片側の面がタッチパッド付液晶ディスプレイ１３０となっている。ここで、タッチパッド付液晶ディスプレイ１３０のタッチパッドとしては、抵抗膜方式、静電容量結合方式を用いてもよいし、液晶パネルのガラス基板に、画素毎に光センサを搭載した光センサ内蔵システム液晶をタッチパッド付液晶ディスプレイ１３０として用いて、外光が遮られたことを該光センサが検出することで、タッチパッド付液晶ディスプレイ１３０への接触と接触位置を検出するようにしてもよい。
【００６３】
このタッチパッド付液晶ディスプレイ１３０のうち、上半分は画像表示部１１１ｂとして用いられ、下半分は操作領域部１０９ｂとして用いられる。操作領域部１０９ｂは、図１２に示す第１の実施形態の携帯電話機１００と同様にカーソルキー１０９１ｂ、決定キー１０９２ｂ、テンキー、＊、＃キー１０９３ｂを備える。ただし、これらのキー（操作部）は、物理的なキーボタンが配置されているわけではなく、タッチパッド付液晶ディスプレイ１３０に表示された画像に基づき、ユーザが認識可能なキーであり、タッチパッド付液晶ディスプレイ１３０のタッチパッドがキーの画像が表示された領域における接触を検出すると、該キーが押下されたとみなす。
【００６４】
図１３は、本実施形態における携帯電話機１００ｂの主制御部１０４が、プログラムメモリ１０５に格納されているプログラムを実行することで機能する主処理部１０４０ｂの構成を示す概略ブロック図であり、併せて、該主処理部１０４０ｂに関連する操作領域部１０９ｂ、画像表示部１１１、表示画像メモリ１０７、通信制御部１０３を示す。同図において図３の各部に対応する部分（１０３、１０７、１１１、１０４２、１０４３、１０４４、１０４５）には同一の符号を付け、その説明を省略する。
【００６５】
主処理部１０４０ｂは、発光制御処理部１０４１ｂ、タッチキー処理部１０４６ｂ、分割画像表示処理部１０４２、分割画像割当処理部１０４３、表示部設定処理部１０４４、Ｗｅｂ処理部１０４５を具備する。発光制御処理部（識別制御処理部）１０４１ｂは、図３の発光制御処理部１０４１が、テンキー、＊、＃キー１０９３のＬＥＤの発光を制御するのに対し、タッチキー処理部１０４６ｂに、操作領域部１０９ｂに表示するキーの色を指定する点が異なるが、その他は、発光制御処理部１０４１と同じである。
【００６６】
タッチキー処理部１０４６ｂは、タッチパッド付液晶ディスプレイ１３０の操作領域部１０９ｂにテンキー、＊、＃キー１０９３ｂ、カーソルキー１０９１ｂなどのキーの画像を表示させるとともに、操作領域部１０９ｂからタッチパッド付液晶ディスプレイ１３０が接触を検出した位置を取得して、該位置に対応するキーの押下を表す情報を分割画像表示処理部１０４２およびＷｅｂ処理部１０４５に出力する。また、タッチキー処理部１０４６ｂは、発光制御処理部１０４１ｂからの指示に基づき、操作領域部１０９ｂに表示したキーの色を変更する。
【００６７】
画像表示部（情報表示部）１１１ｂは、タッチパッド付液晶ディスプレイ１３０のうちの上半分の領域であり、画像表示部１１１と同様に分割画像表示処理部１０４２の制御により、分割画像を表示する。
このように、第１および第２の実施形態に示す操作領域部１０９のように物理的なキーが配列されたものでなく、操作領域部１０９ｂのように、タッチパッド付液晶ディスプレイ１３０などに表示された画像をキーとみなすものであってもよい。
【００６８】
また、本実施形態における分割画像表示処理部１０４２、分割画像割当処理部１０４３に替えて、図１０に示す第２の実施形態の分割画像表示処理部１０４２ａ、分割画像割当処理部１０４３ａを具備するようにしてもよい。これにより、第２の実施形態のように、コンテンツの画像をキーの配置数に等分して分割画像とする場合でも、タッチパッド付液晶ディスプレイ１３０を用いることができる。
【００６９】
また、分割画像割当処理部が、コンテンツの画像を分割する際に、第１の実施形態におけるように画像表示部１１１の解像度と同じになるように分割することや、第２の実施形態におけるようにキーの配置数で等分することに替えて、Ｗｅｂページのおけるフレームのように、コンテンツの画像における画面構成を境界にして分割して分割画像としたり、画面構成を境界にして分割した画像を、さらに第１の実施形態におけるように画像表示部１１１の解像度と同じになるように分割したり、第２の実施形態におけるようにキーの配置数で等分したりするようにしてもよい。
【００７０】
なお、本実施形態のように、ユーザによるキー操作を検出する手段として、タッチパッドのような、ユーザによる接触または加圧の位置を、キーよりも細かい単位で検出できるときは、該位置に相当する部分をコンテンツの画像から抽出して分割画像とし、この分割画像を表示してもよいし、ユーザが指により接触または加圧しながら、その位置を動かすスライド操作を行うと、分割画像表示処理部１０４２は、表示中の分割画像の該スライド操作の方向に隣接する分割画像を、画像表示部１１１ｂに表示するようにしてもよいし、表示中の分割画像を該スライド操作の方向にスクロールさせるようにしてもよい。
【００７１】
なお、図３の主処理部１０４０、図１０の主処理部１０４０ａ、図１３の主処理部１０４０ｂは、主制御部１０４がプログラムメモリ１０５に格納されたプログラムを実行することにより、その機能を実現させるとして説明したが、これら各部またはその一部は、専用のハードウェアにより実現されるものであってもよい。
【００７２】
また、図３の主処理部１０４０、図１０の主処理部１０４０ａ、図１３の主処理部１０４０ｂを実現するためのプログラムをコンピュータ読み取り可能な記録媒体に記録して、この記録媒体に記録されたプログラムを、コンピュータを備えた携帯電話機１００、１００ａ、１００ｂに読み込ませ、実行することにより各部の処理を行ってもよい。なお、ここでいう「コンピュータシステム」とは、ＯＳや周辺機器等のハードウェアを含むものとする。
【００７３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるフラッシュメモリ、ハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７４】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００７５】
本発明は、携帯電話機などコンテンツの画像を表示する携帯型の情報処理装置に用いて好適であるが、これに限定されない。
【図面の簡単な説明】
【００７６】
【図１】この発明の第１の実施形態による携帯電話機１００の外観図である。
【図２】同実施形態のおける携帯電話機１００の構成を示す概略ブロック図である。
【図３】同実施形態のおける主処理部１０４０の構成を示す概略ブロック図である。
【図４】同実施形態のおけるコンテンツの画像を２行２列の分割画像に分割する場合の分割画像割当テーブルの例を示す図である。
【図５】同実施形態のおけるコンテンツの画像Ｇ１を２行２列の分割画像に分割したときのコンテンツの画像における分割画像Ｄ１〜Ｄ４の配置を黒枠で表した図である。
【図６】同実施形態のおけるコンテンツの画像を２行４列の分割画像に分割する場合の分割画像割当テーブルの例を示す図である。
【図７】同実施形態のおけるコンテンツの画像Ｇ２を２行４列の分割画像に分割したときのコンテンツの画像における分割画像Ｄ５〜Ｄ１２の配置を黒枠で表した図である。
【図８】同実施形態のおける携帯電話機１００におけるコンテンツの画像表示に関する動作を説明するフローチャートである。
【図９】同実施形態における分割画像割当処理部１０４３が、分割画像を割り当てるキーの例を示す図である。
【図１０】この発明の第２の実施形態による主処理部１０４０ａの構成を示す概略ブロック図である。
【図１１】同実施形態におけるコンテンツの画像Ｇ３と、該コンテンツの画像Ｇ３を等分して縮小した分割画像Ｄ１３〜Ｄ１８とを例示してこれらの関係を説明する図である。
【図１２】この発明の第３の実施形態による携帯電話機１００ｂの外観図である。
【図１３】同実施形態における主処理部１０４０ｂの構成を示す概略ブロック図である。
【符号の説明】
【００７７】
１００、１００ａ、１００ｂ…携帯電話機
１０１…アンテナ
１０２…無線部
１０３…通信制御部
１０４…主制御部
１０５…プログラムメモリ
１０６…メモリ
１０７…表示画像メモリ
１０８…大容量メモリ
１０９、１０９ｂ…操作領域部
１１０…主カメラ
１１１、１１１ｂ…画像表示部
１１３…振動部
１１４…ＧＰＳ機能
１１５…音声処理部
１１６…マイク
１１７…スピーカ
１１８…ＲＦＩＤリーダ
１１９…Ｉｒ送信部
１２０…Ｉｒ受信部
１２１…インジケータ
１２３…電源制御部
１２４…電池
１３０…タッチパッド付液晶ディスプレイ
１０４０、１０４０ａ、１０４０ｂ…主処理部
１０４１、１０４１ｂ…発光制御処理部
１０４２、１０４２ａ…分割画像表示処理部
１０４３、１０４３ａ…分割画像割当処理部
１０４４…表示部設定処理部
１０４５…Ｗｅｂ処理部
１０４６ｂ…タッチキー処理部
１０９１、１０９１ｂ…カーソルキー
１０９２、１０９２ｂ…決定キー
１０９３、１０９３ｂ…テンキー、＊、＃キー
【図１】
0005184102.tif 000002
【図２】
0005184102.tif 000003
【図３】
0005184102.tif 000004
【図４】
0005184102.tif 000005
【図５】
0005184102.tif 000006
【図６】
0005184102.tif 000007
【図７】
0005184102.tif 000008
【図８】
0005184102.tif 000009
【図９】
0005184102.tif 000010
【図１０】
0005184102.tif 000011
【図１１】
0005184102.tif 000012
【図１２】
0005184102.tif 000013
【図１３】
0005184102.tif 000014